(57)【要約】【課題】１個のボールを使用し、投球マシンのボール発射と練習打者の打撃と打球の自動的な捕集・投球マシンへの送給発射を繰り返し連続して行い得、かつ打球の投球マシンへの直撃を防止できるバッティング練習装置を提供する。【解決手段】練習装置をネット６０で覆い、その一側端部に設けた投球マシン６１により反対側の側端部の開口部に向けてボール５８を発射し、練習打者は開口部でこれを向かい打ちし、打球はネット６０内の空間部の底部付近に設けた下り勾配のボール捕集路２４と捕集用傾斜部（金属メッシュ５６）により自動的に捕集されて、投球マシン６１に送給され再発射可能とされ、かつ前記開口部内には投球マシン６１側に向かって上り勾配に打球弾道規制部材４８が高さを調節可能に配置され、打球弾道規制部材４８の先端部により打球の弾道の高さを規制して打球が投球マシン６１に当たらないように構成した。【選択図】  図７
2015008996.tif 000002
【特許請求の範囲】
【請求項１】
１個のボールを使用し、練習装置自体の一端部側の投球マシンから発射されたボールは、他端部側のバッティング練習者により打ち返されると共に自動的に捕集されて前記投球マシンに供給され、再び他端部側に向けて発射されたボールは、バッティング練習者により打ち返されると共に自動的に捕集されて前記投球マシンに供給され、以下この繰り返しによりバッティング練習を連続して行い得るようにしたバッティング練習装置であって、
練習装置自体の前後両側部でバットスイング領域を除いた部分、上面部および投球マシン設置側の端部側面をネットで覆うようにした、練習者による打球が外に飛び出すこと防止するためのネットと、
前記ネットを支持張設するためのネット支持枠と、
投球マシン設置側との反対側の端部側面で、発射されてきたボールを練習者のバッティングにより前記ネットで囲まれた空間部内に打ち返しできるようにネットで覆われずに開放されている開口部と、
前記開口部付近でボール発射側に向かって上り勾配の状態に設けられ、打球が投球マシンを直撃しないように打球の弾道の高さが所定高さより低くならないように規制するための打球弾道規制部材と、
前記ネット内の空間部の底部付近に設けられ、投球マシン側に向かってボールが自動的に移動し得るように下り勾配とされてなる落下した打球を捕集するためのボール捕集路と、
前記各ネットの下端部付近からボール捕集路に向かって下り勾配で傾斜した状態に設けられ、落下した打球を前記ボール捕集路内に自動的に誘導して捕集させ得るようにした捕集用傾斜部と、
投球マシン設置側のネットの下端部付近に位置し、前記捕集用傾斜部の末端から直接または誘導路を介してボールを受け取ることができるボール受け部を先端部に有する投球アームが所定範囲を急速回動することにより前記開口部に向かってボールを発射できるようにしたアーム式投球マシンとを備えたバッティング練習装置。
【請求項２】
請求項１記載のバッティング練習装置において、投球マシンから発射されたボールを迎え撃つ際個々の練習者にとって該練習装置の設置面から略一定の高さを有するとされる打球ポイントと前記打球弾道規制部材の先端部とを結ぶ延長線が投球マシン設置側のネット面と交わる交点は、投球動作開始中における投球アームの上端部より所定高さだけ上方に位置するように調節可能としたバッティング練習装置。
【請求項３】
請求項１または２記載のバッティング練習装置において、ボール捕集路の末端部側の底部には投球アームの回動に支障を来さないようにするための長手状の切欠部を設け、さらにネットには投球アームの回動に支障を来さないようにするための部分的な切欠部を設けるようにしたバッティング練習装置。
【請求項４】
請求項１〜３のいずれか１項に記載のバッティング練習装置において、投球マシン設置側の端部側面のネットの内側には打球による損傷を緩和するための緩衝材を配置するようにしたバッティング練習装置。
【請求項５】
請求項１〜４のいずれか１項に記載のバッティング練習装置において、打球弾道規制部材の先端部の高さと傾斜角とを調節可能としたバッティング練習装置。
【請求項６】
前記請求項１〜５のいずれか１項に記載のバッティング練習装置において、アーム式投球マシンに代えて、上下に所定間隔を隔てた互いに反対方向に回転する１対のロール間にボールを挟持させて前記開口部に向かってボールを発射できるようにしたロール式投球マシンをネットの外側に設け、かつ投球マシン設置側のネットにはボールが通過し得る切欠部を設けるようにしたバッティング練習装置。
【請求項７】
請求項６記載のバッティング練習装置に加えて、ボール捕集路で送給されてきたボールをコンベアにより持ち上げてボール発射用ロール間に供給するようにしたコンベア付きバッティング練習装置。
【請求項８】
前記請求項１〜７のいずれか１項に記載のバッティング練習装置において、
捕集用傾斜部とボール捕集路に代えて、ボールが落ちない程度の間隔で横方向に配置した針金等の複数の線条体は、該線条体の基端部と、他端部側の若干基端部側寄りの位置とに縦方向に配置した連結部材で接合されると共に各線条体の他端部をネットに引っ掛け可能に折り曲げてなる一対の傾斜エレメントを、上方に開いた状態でかつ両傾斜エレメントの基端部先端に縦方向に配置された連結部材間をボールが落ちない程度の間隔で一体に結合し、両連結部材間を下り勾配とし、ボールが投球マシン側に転動するボール捕集路とし、傾斜エレメントを捕集用傾斜部とするボール捕集用傾斜部捕集路兼用材を使用するようにしたバッティング練習装置。
【請求項９】
請求項１〜８のいずれか１項にに記載のバッティング練習装置から投球マシンを設けないようにしてなるバッティング練習装置用のネットケージ。
【発明の詳細な説明】
【技術分野】
【０００１】
本発明はバッティング練習装置に関するものであり、特にティーバッティングとトスバッティングの特長を生かしつつ、その欠陥の改善を図り、バッティング練習者の正面に向かってボールを発射し、かつ打ち返したボールが投球マシンを直撃して破損することがなく、さらに、１個のボールを使用し、投球マシンから発射され、バッティング練習者により打ち返されたボールは、自動的に捕集されて投球マシンに送給されるようにし、投球マシンによる発射と練習者によるバッティング練習と打ち返されたボールの投球マシンへの供給とを連続して行い得るようにしたバッティング練習装置に関するものである。
【背景技術】
【０００２】
従来よりティーバッティングは、ティー上の静止したボールを打つので、バッティング動作が安定し、正常なコースから外れたボールを打つ等の悪い癖が、つきにくいという利点があるが、実際に投げてくるボールを打つものではないので、実戦上の練習としては十分でないという欠点があり、トスバッティングは実際にボールを投げてくる点では、ティーバッティングよりよいが、練習者の斜め前方から補助者が投げてくるので、引っ張って打つスイング上の癖がつき、また補助者によってはボールの高さが安定しないので、正常なコースから外れたボール球を打つ癖がつき、また練習者の正面から投げるものではないので、実戦上の練習としては十分でないという欠点がある。
また、補助者が斜め前方からバッティング練習者に向かってボールをトスするものであるため、練習者一人では練習ができなかった。そこで、その対策として、種々のバッティング練習装置が提案されている。例えば、特許文献１，２記載の練習装置がこれである。これらは、練習者が打ち返したボールが投球マシンを直撃して破損することがな
いように、トスバッティングの場合と同様に斜め前方からバッティング練習者に向かってボールをトスするものであるため、トスバッティングと同じ欠点がある。また、これらは多数のボールを使用し、次々発射されるボールに対して練習者はもっぱら打ち返す打撃練習を連続して行い、その後中断して散乱したボールを拾い集めて投球マシンに供給し,再度打撃練習を開始するようにし、この繰り返しにより練習するようにしたものである。しかし、このような練習装置では、バッティング練習を中断してボール拾い等の他の作業をしなければならないので、集中力が途切れ、練習の効率が良くないという問題点があった。
【０００３】
また、バッティング練習者の正面から投球されてくるようにした構造の練習機では、打球が投球マシンを直撃し、破損するおそれがあるという問題点があった。さらに、練習装置のなかには打球が投球マシンを直撃すると破損のおそれがあるので、注意して練習を行うこと等の注意書きを付しているものもあり、これではバッティング練習に集中できないという問題点があった。
【先行技術文献】
【特許文献】
【０００４】
【特許文献１】特開２０００−１７６０７１号公報
【特許文献２】特開２００４−２４４８０号公報
【発明の概要】
【発明が解決しようとする課題】
【０００５】
解決しようとする問題点は、投球マシンによるボールの発射と練習者によるバッティングとを、中断せずに繰り返し連続して行うことができない点であり、また練習者に向かって正面から発射したボールを打ち返すと打球が投球マシンに当たり、損傷のおそれがある点であり、さらに打球が投球マシンに当たらないように気配りしなければならないので、バッティング練習に集中できない点である。
【課題を解決するための手段】
【０００６】
゛本発明はこのような問題点の解決を目的としてなされたものであり、次ぎのように構成される。
Ａ  １個のボールを使用し、練習装置自体の一端部側の投球マシンから発射されたボールは、他端部側のバッティング練習者により打ち返されると共に自動的に捕集されて前記投球マシンに供給され、再び他端部側に向けて発射されたボールは、バッティング練習者により打ち返されると共に自動的に捕集されて前記投球マシンに供給され、以下この繰り返しによりバッティング練習を連続して行い得るようにしたバッティング練習装置であって、
練習装置自体の前後両側部でバットスイング領域を除いた部分、上面部および投球マシン設置側の端部側面をネットで覆うようにした、練習者による打球が外に飛び出すこと防止するためのネットと、
前記ネットを支持張設するためのネット支持枠と、  
投球マシン設置側との反対側の端部側面で、発射されてきたボールを練習者のバッティングにより前記ネットで囲まれた空間部内に打ち返しできるようにネットで覆われずに開放されている開口部と、
前記開口部付近でボール発射側に向かって上り勾配の状態に設けられ、打球が投球マシンを直撃しないように打球の弾道の高さが所定高さより低くならないように規制するための打球弾道規制部材と、
前記ネット内の空間部の底部付近に設けられ、投球マシン側に向かってボールが自動的に移動し得るように下り勾配とされてなる落下した打球を捕集するためのボール捕集路と、
前記各ネットの下端部付近からボール捕集路に向かって下り勾配で傾斜した状態に設けられ、落下した打球を前記ボール捕集路内に自動的に誘導して捕集させ得るようにした捕集用傾斜部と、
投球マシン設置側のネットの下端部付近に位置し、前記捕集用傾斜部の末端から直接または誘導路を介してボールを受け取ることができるボール受け部を先端部に有する投球アームが所定範囲を急速回動することにより前記開口部に向かってボールを発射できるようにしたアーム式投球マシンとを備えたバッティング練習装置。
Ｂ  Ａ項記載のバッティング練習装置において、投球マシンから発射されたボールを迎え撃つ際個々の練習者にとって該練習装置の設置面から略一定の高さを有するとされる打球ポイントと、前記打球弾道規制部材の先端部とを結ぶ延長線が投球マシン設置側のネット面と交わる交点は、投球動作開始中における投球アームの上端部より所定高さだけ上方に位置するように調節可能としたバッティング練習装置。
Ｃ  Ａ項またはＢ項記載のバッティング練習装置において、ボール捕集路の末端部側底部には投球アームの回動に支障を来さないようにするための長手状の切欠部を設け、さらにネットには投球アームの回動に支障を来さないようにするための部分的な切欠部を設けるようにしたバッティング練習装置。
Ｄ  Ａ項〜Ｃ項のいずれか１項に記載のバッティング練習装置において、投球マシン設置側の端部側面のネットの内側には打球による損傷を緩和するための緩衝材を配置するようにしたバッティング練習装置。
Ｅ  Ａ項〜Ｄ項のいずれか１項に記載のバッティング練習装置において、打球弾道規制部材の高さと傾斜角を調節可能としたバッティング練習装置。
Ｆ  前記Ａ項〜Ｅ項のいずれか１項に記載のバッティング練習装置において、
アーム式投球マシンに代えて、上下に所定間隔を隔てた互いに反対方向に回転する１対のロール間にボールを挟持させて前記開口部に向かってボールを発射できるようにしたロール式投球マシンをネットの外側に設け、かつ投球マシン設置側のネットにはボールが通過し得る切欠部を設けるようにしたバッティング練習装置。
Ｇ  Ｆ項記載のバッティング練習装置に加えて、ボール捕集路で送給されてきたボールをコンベアにより持ち上げてボール発射用ロール間に供給するようにしたコンベア付きバッティング練習装置。
Ｈ  Ａ項〜Ｇ項のいずれか１項に記載のバッティング練習装置において、捕集用傾斜部とボール捕集路に代えて、ボールが落ちない程度の間隔で横方向に配置した針金等の複数の線条体は、該線条体の基端部と、他端部側の若干基端部側寄りの位置とに縦方向に配置した連結部材で接合されると共に各線条体の他端部をネットに引っ掛け可能に折り曲げてなる一対の傾斜エレメントを、上方に開いた状態でかつ両傾斜エレメントの基端部先端に縦方向に配置された連結部材間をボールが落ちない程度の間隔で一体に結合し、両連結部材間を下り勾配とし、ボールが投球マシン側に転動するボール捕集路とし、傾斜エレメントを捕集用傾斜部とするボール捕集用傾斜部捕集路兼用材を使用するようにしたバッティング練習装置。
Ｉ  Ａ項〜Ｇ項のいずれか１項にに記載のバッティング練習装置から投球マシンを設けないようにしてなるバッティング練習装置用のネットケージ。
【発明の効果】
【０００７】
本発明はこのように構成されているので、つぎのような効果を奏する。
本練習装置は１個のボールを使用し、投球マシンから発射されたボールを練習者が打ち返すと,ボールは装置内の下り勾配により自動的に捕集されて投球マシンに送給され、再度のボール発射と練習者の打ち返しと自動的なボール捕集・供給が繰り返して行われるので、バッティング練習を連続して行い得る利点がある。
また、練習装置はネットで覆われているので、打球が逸散することなく捕集できるので、前記バッティング練習を連続して行うのに役立つている。
さらに、打球弾道規制部材を設けて打球が投球マシンに当らないようにされているので、投球マシンの破損を防止できる利点がある。
さらにまた、正面から飛んできたボールを打者が正面に打ち返すので、実際の試合に則した練習ができる。
また、打球が投球マシンに当らないように気配りする必要がないので、バッティング練習に集中できる利点がある。
【図面の簡単な説明】
【０００８】
【図１】本発明の実施例の外面を覆うネットを取り外した状態を示す左側面図である。
【図２】同実施例のネットを取り外した状態を示す平面図である。
【図３】図１におけるＡ−Ａ断面図である。
【図４】ネットが装着されている同実施例の左側面図である。
【図５】ネットが装着されている同実施例の平面図である。
【図６】図５におけるＢ−Ｂ断面図である。
【図７】同実施例の使用方法を示す説明図である。
【図８】（イ）、（ロ）は同実施例に使用する部品の変形例を示す平面図と正面図である。
【発明を実施するための形態】
【０００９】
バッティング練習装置において、打者の打球が投球マシンを直撃して破損することを防止するためには、投球マシンの前面に衝突防止用のネットやプレート等を設けなければならないが、これではボールの発射が困難である。
本発明は、ボール発射に支障をきたさず、しかも  打球の直撃による投球マシンの破損を防止するために、打球弾道規制部材を設けて打球の弾道の高さを規制するようにしたものである。
【実施例１】
【００１０】
以下本発明の実施例を図面に基づいて詳細に説明する。図１〜図３において１０は
本発明のバッティング練習装置の骨組みをなすネット支持枠としての枠体であり、手前側（紙面側）の枠組１２と後側（紙面反対側）の枠組１４とが連結部材により所定間隔を隔てて一体に連結されて構成され、内部に空間部を生ずるようにされている。なお、枠組１２，１４は両者間の中心線に対して対称をなしている。
【００１１】
枠体１０は主にバイプ材を接合して構成され、枠組１２は練習装置の設置面ＢＬより上方で横方向に配置された横パイプ材１６の一端部に、縦方向の縦パイプ材１８の上端部が接合されると共に、横パイプ材１６の中間部でやや他端部寄り部分には前記縦パイプ材１８よりやや短い目の縦パイプ材２０の上端部が接合され、その下端部は練習装置の設置面ＢＬ寄りに横方向に配置された横パイプ材２２の中間部に接合されている。横パイプ材２２の一端部は縦パイプ材１８の下端部寄りに接合され、他端部は後述するボール捕集路２４の下部を支えるボール捕集路支持部２６の一部（縦パイプ材２８）に接合されている。なお、ボール捕集路支持部２６はボール捕集路２４の下端部に接する状態で枠組１２から枠組１４に至る横方向に配置された横パイプ材（図示省略）の両端部に縦パイプ材２８が接合さてなるものであり、その縦パイプ材２８の中間部に、前記横パイプ材２２の他端部が接合されている。さらに、横パイプ材１６の他端部には図１，図２に示すように横パイプ材３０がヘの字形に接合されている。
【００１２】
前述のようにして枠組１２が構成されるが、すでに説明した通り図２に示すように枠組１４はこれと対称をなし、枠組１２の横パイプ材１６，３０に相当する部分は横パイプ材３２，３４であるが、横パイプ材１６、３２の図上左端部（投球マシン設置側）では連結パイプ材３６により連結され、横パイプ材３０、３４の図上右端部（練習打者側）では連結パイプ材３８により連結され、それぞれの左端側と右端側では間隔が狭くされている。また、横パイプ材１６，３２の中間部では連結パイプ４０により連結されている。さらに、図３に示すように枠組１２の縦パイプ材１８と、これに相当する枠組１４の縦パイプ材４２とは、連結パイプ４４により連結されている。なお、各パイプ材間の接合はこれに適した継ぎ手が使用され、パイプ材同士が直角をなす部分は斜めの支持部材で補強されている。
【００１３】
枠体１０のバッティング練習者側、すなわち投球マシンによるボール発射側の反対側には図１，図２に示すようにボール発射側に向かって上り勾配の状態で打球弾道規制部材４８が配置されている。打球弾道規制部材は打球の弾道の高さを規制し、投球マシンへの直撃を防止するもので、高さと傾斜とが調節可能とされている。すなわち、枠体１０の縦パイプ材２８に立設状態に固定された支持部材５０の上端部には、打球弾道規制部材４８の裏面側に揺動可能に設けられた調節部材５２が摺動可能に嵌合され、かつ高さ位置を調節できるようにされると共に、打球弾道規制部材４８の裏面の他端側には、脚５４が揺動可能に、かつ高さが調節可能に設けられている。調節部材５２と脚５４を同時に、あるいは別々に調節することにより、打球弾道規制部材の高さと傾斜角を調節することできる。  
【００１４】
打球弾道規制部材４８の前端部の下方位置には、図１，図２に示すように投球マシン設置側（ボール発射側）に向かって下り勾配に断面が半円状のボール捕集路２４が配置され、その両縁には図３に示すように上方に開いた平面状の金属メッシュ５６が接合され、ボール捕集用傾斜部をなしている。枠体１０は後述するネットにより覆われているが、投球マシンから発射されたボールは練習者に打ち返され、ネットに当たると落下し、金属メッシュ５６上を転がり、ボール捕集路２４内に落ち、投球マシン側に向かって転動し送られる。なお、ボール捕集路２４の末端部には断面が半円状の送給路が接合され、ボールを投球マシンの投球アーム先端のボール受け部に送られる。
【００１５】
枠体１０は、打球が外に逸散しないよう図４〜図６に示すように、一部を除いてネット６０で覆われている。すなわち、枠体１０の上面部、投球マシン設置側の端部側面および枠体１０の前後両側部の投球マシン設置側寄りの大部分はネットで覆われるが、前後両側部で練習者側から打球弾道規制部材の先端部側方付近の位置までは覆われていない。この部分はバットスイング領域でバッティング練習の邪魔になるからであり、また、この部分はネットがなくても前面から定位置に飛んでくるボールを打ち損じて外に飛び出すことは殆どないからである。練習者側に面する部分は、発射されたボールが飛び出してくる部分であり、また練習者がこれを打ち返す開口部であるから当然ネットは存在しない。なお、横パイプ材２２より下部はボールが飛び出すことはないので、ネットで覆う必要はない。また、投球マシン設置側の端部側面のネット６０には、ボール発射時の投球アームの回動の妨げとならないように一部が切り欠かれている。そのネット内面側には打球の衝撃を緩和するための緩衝材（図示省略）が取り付けられる。なお、ネットは強く張設すると打球の衝撃が緩和されずに強く反発するが、緩い目に張設すると衝撃が緩和され、好都合である。
【００１６】
投球マシンは、投球マシン本体部に、外向きに突出したカムを先端部に有するカム軸が電動機により所定周期で駆動回転可能に設けられると共に、その側方にカムフォロワー軸が回動可能に設けられ、カムフォロワーにはその軸寄りに、先端部にボール受け部を有する投球アームが取り付けられると共に、前記カムフォロワー軸には引張りばねによりカムフォロワーが前記カムに圧接する方向の力を付勢するようにされており、しかも投球マシン６１の本体部は図７に示すようにボール捕集路２４より下方位置に、かつボール発射側のネット寄りに設置され、静止状態にある投球アーム先端の発射用ボール受け部はネットの外側に位置するようにされ、所定周期で投球マシン自体が作動開始し、カム軸が回転するするとカムとカムフォロワーとの係合が外れ、カムフォロワー軸は前記引張りばねの付勢力により急速回動し、投球アームはその基端部を回動中心とし先端のボール受け部が前記ボール捕集路の上方を通過する状態で所定範囲回動し、かつボールを所定速度で所定発射角度で前記開口部に向かって発射できるようにしてなるものである。
なお、ボール捕集路２４の末端部と投球アーム先端の発射用ボール受け部との間には、断面が半円形のボール移送路により、あるいは直接連結され、ボールを転送できるようにされている。ボール移送路の底部中央は、投球アームの回動に支障を来さない程度の切欠きが設けられている。
【００１７】
図７に基づき打球弾道規制部材４８の作用を説明する。練習装置の設置面ＢＬから打球ポイントＰまでの高さをＨとし、その打球ポイントＰから打球弾道規制部材４８の先端部に接する状態に引いた直線がネットに交わる点をＲとすれば、実際に打球ポイントＰでボール５８を打ち、打球弾道規制部材４８の先端すれすれの軌道を描くように飛んだとしても、重力の影響を受け、打球の初速によっても異なるが、打球の弾道軌跡Ｔは放物線を描いてＰ点より下方のＳ点でネットに交わることになる。従って、Ｓ点が投球マシン６１の投球アームの回動範囲より上になるように打球弾道規制部材４８の先端部を調節しておけば、打球が投球マシン６１を直撃して破損することを回避できる。その状態におけるＲ点の位置を記録しておけば、いちいち打撃の試行をすることなく、打球弾道規制部材４８の先端部を簡単に適正位置に調節できる利点がある。
なお、打球ポイントＰは、人により（身長に応じて）略一定であるとされているので、練習者の身長に応じて打球弾道規制部材４８の先端部の高さを調節すれば、打球の投球マシンへの直撃を回避することができる。
しかし、バッティング練習者のうち、Ｓ点を最も上方位置に調節しなければならない者に合わせて予め調節しておけば、いちいち調節するという煩わしさを解消できる。
【００１８】
以上のように構成された実施例においては、投球マシンから発射されたボールを練習者が打ち返すと、打球は直接周囲のネット６０に当たり、あるいは打球弾道規制部材４８の板状部で跳ね返ってネットに当たると勢いが減殺され、捕集用傾斜部としての金属メッシュ４８上に落ち、ボール捕集路２４内を転動しつつ落下し、投球マシンの投球アームのボール受け部に送られ、再び練習者側に向かって発射され、練習者はこれを打ち返す。以下これの繰り返しにより、練習者は連続してバッティングの練習ができることになる。
【００１９】
図８は、図１〜図６に示す捕集用傾斜部としての金属メッシュ５６とボール捕集路２４に代えて使用する捕集用傾斜部・ボール捕集路兼用部材６２を示す。この兼用部材６２は横方向に配置したそれぞれ長さの異なる針金等の複数の線条体７２、７４を組み合わせてなる一対の傾斜エレメント６４、６６を上方に開いた状態に、かつ両傾斜エレメント６４，６６の基端部が所定間隔を隔てた状態に支持部材６８により一体に取り付けたものである。なお、傾斜エレメント６４，６６は、図８に示すように長さの異なる複数の線状体７２，７４が長さの順に配列されている。
傾斜エレメント６４，６６は、それぞれ針金等の複数の線条体７２、７４をボールが落ちない程度の間隔で横方向に配置し、その線条体７２、７４の各基端部に縦方向に配置した針金等の連結部材７６、７８で接合すると共に他端部側は若干基端部側寄りの位置に縦方向に配置した針金等の連結部材８０、８２で接合すると共に各線条体の他端部をネットに引っ掛け可能に折り曲げて構成されている。
【００２０】
なお、傾斜エレメント６４，６６の複数の各線状材７２，７４の基端部に接合された前記連結部材７６，７８は、前記支持部材６８と、その連結部材７６，７８の両端部寄りに設けた円弧状の接合部材８４、８６とにより、ボール５８が落ちない程度の間隔に保持され、かつ接合部材８４側が高く、接合部材８６側が低くし、下り勾配をなすように取り付けられる。２本の連結部材７６，７８は複数の線状体７２，７４からなる捕集用傾斜部上に落ちたボール５８を受け止め、これを転動・送給させるボール捕集路としての役割を有する。また、傾斜エレメント６４，６６の複数の各線状材７２，７４は、前述したように接合部材８６側から８４側に向かうにつれて順次長くなるようにされている。これは、図５に示すように、投球マシン取り付け側に向かって先細りの状態に張設されたネット６０に、引っ掛けて取り付け易くするためである。
【００２１】
この１対の傾斜エレメント６４，６６を支持部材６８で結合させてなる捕集用傾斜部・ボール捕集路兼用部材６２は、両端の折曲部をネット６０に引っ掛けて取り付けできるので、取り付け、取り外しが容易であり、また屋外で降雨にあった場合水はけがよいので、雨が止んだ後の再使用が早くでき、かつ容易であるという利点がある。
【００２２】
前記 実施例において、枠体１０の各パイプ材の接合には、バイブ材端部を差し込んで行うタイプのパイプ接手を使用しているが、これに代えてワンタッチ式のパイプ接手
を使用することも可能である。そのようなパイプ接手として例えば、一部又は全部のパイプ差込部が所定幅で切り欠かれ、その切り欠かれた部分からパイプを押し込んでパイプを接合可能としたもの等がある。また、パイプ材に代えて内部の詰まった中実材（無垢材）を使用することも可能である。さらに、前記実施例の投球マシンには、投球アーム回動式のものを使用したが、これに代えて互いに逆方向に回転する上下１対のロール間に、ボール送給路末端から昇降コンベアによりボールを持ち上げて供給し、発射するようにしたロール式投球マシンを使用することも可能である。
【産業上の利用可能性】
【００２３】
本バッティング練習装置は、野球やソフトボール以外の他のボールを使用する競技の練習用としても利用できる可能性がある。
【符号の説明】
【００２４】
１０  枠体
１２、１４  枠組
２４  ボール捕集路
４８  打球弾道規制部材
５６  金属メッシュ（捕集用傾斜部）
５８  ボール
６０  ネット
６２  捕集用傾斜部・ボール捕集路兼用部材
６１  投球マシン
６４，６６  傾斜エレメント
【図１】
2015008996.tif 000003
【図２】
2015008996.tif 000004
【図３】
2015008996.tif 000005
【図４】
2015008996.tif 000006
【図５】
2015008996.tif 000007
【図６】
2015008996.tif 000008
【図７】
2015008996.tif 000009
【図８】
2015008996.tif 000010